(57)【特許請求の範囲】
【請求項１】
リアルタイムの録画操作に応答して第１放送番組の録画を開始する第１録画開始手段、  前記第１放送番組の録画が行なわれているとき再生操作に応答して前記第１放送番組を再生する再生手段、
録画予約された第２放送番組の放送開始時刻と現在時刻とを比較する比較手段、
前記比較手段の比較結果に基づいて、前記放送開始時刻よりも前に前記第１放送番組の再生場面が前記第１放送番組の実時間の放送場面に追いつく速度で第１放送番組を早送り再生する早送り再生手段、
前記第１放送番組の再生場面が前記実時間の放送場面に追いついた後に前記第１放送番組の録画を終了する録画終了手段、
当該録画終了手段が前記第１放送番組の録画を終了した後前記放送開始時刻の前に前記第１放送番組の再生を終了する再生終了手段、および
前記放送開始時刻になったときに前記第２放送番組の録画を開始する第２録画開始手段を備える、記録再生装置。
【請求項２】
前記放送開始時刻よりも前の所定時刻になったとき前記再生場面から前記実時間の放送場面までの時間差を検出する検出手段、および  前記検出手段による検出結果に基づいて前記早送り再生の速度を決定する決定手段をさらに備える、請求項１記載の記録再生装置。
【請求項３】
前記早送り再生手段によって前記早送り再生が行われるとき前記再生操作を無効にする無効手段をさらに備える、請求項１乃至請求項２に記載の記録再生装置。
【請求項４】
前記早送り再生手段によって前記早送り再生が行なわれるとき所定の警告を発生する発生手段をさらに備える、請求項１乃至請求項３に記載の記録再生装置。
【発明の詳細な説明】
【０００１】
【発明の属する技術分野】
この発明は、記録再生装置に関し、特にたとえば、ハードディスクビデオレコーダに適用され、放送番組の録画に並行して当該放送番組を再生する、記録再生装置に関する。
【０００２】
【従来技術】
ハードディスクビデオレコーダは、ランダムアクセスに優れたハードディスクを記録媒体としている。さらに、ハードディスクビデオレコーダは、このランダムアクセス性を生かして、放送番組の録画に並行して当該放送番組を再生する追いかけ再生機能を備えている。したがって、たとえば帰宅時に番組録画を行なっている最中であったとしても、録画を止めずに当該番組を最初から楽しむことができる。
【０００３】
【発明が解決しようとする課題】
しかし、当該番組の録画がリアルタイムの録画操作に応答して開始されたものであり、かつ別に録画予約された番組が存在する場合、予約番組の放送開始時刻にはリアルタイム録画を強制的に終了して予約番組の録画に移行する必要がある。すると、実際に放送されている場面へ追いつく前にリアルタイム録画が終了したときに、次のような問題が生じる。つまり、予約録画が開始された後は、テレビジョン受像機のチューナによって番組の続きを視聴できるが、再生していた場面と実際に放送されている場面との間にブランクが生じる。このブランク部分は録画済みであるため予約録画の終了後に確認できるが、これではストーリの流れが崩れてしまう。
【０００４】
それゆえに、この発明の主たる目的は、リアルタイムの録画操作に応答して録画された番組をストーリの流れを崩すことなく再生できる、画像記録装置を提供することである。
【０００５】
【課題を解決するための手段】
この発明は、リアルタイムの録画操作に応答して第１放送番組の録画を開始する第１録画開始手段、前記第１放送番組の録画が行なわれているとき再生操作に応答して前記第１放送番組を再生する再生手段、録画予約された第２放送番組の放送開始時刻と現在時刻とを比較する比較手段、前記比較手段の比較結果に基づいて、前記放送開始時刻よりも前に前記第１放送番組の再生場面が前記第１放送番組の実時間の放送場面に追いつく速度で第１放送番組を早送り再生する早送り再生手段、前記第１放送番組の再生場面が前記実時間の放送場面に追いついた後に前記第１放送番組の録画を終了する録画終了手段、当該録画終了手段が前記第１放送番組の録画を終了した後前記放送開始時刻の前に前記第１放送番組の再生を終了する再生終了手段、および前記放送開始時刻になったときに前記第２放送番組の録画を開始する第２録画開始手段を備える、記録再生装置である。
【０００６】
【作用】
リアルタイムの録画操作が行なわれると、第１録画開始手段によって第１放送番組の録画が開始される。また、第１放送番組の録画中に再生操作が行なわれると、再生手段によって第１放送番組が再生される。比較手段は録画予約された第２放送番組の放送開始時刻と現在時刻とを比較し、早送り手段はこの比較結果に基づいて第１放送番組を、第２放送番組の放送開始時刻以前に第１放送番組の再生場面が実時間の放送場面に追いつくように、早送り再生する。第１放送番組の再生場面が第１放送番組の実時間の放送場面に追いつくと、録画終了手段によって第１放送番組の録画が終了され、第１放送番組の録画を終了した後放送開始時刻の前に、録画された前記第１放送番組の全ての再生が再生終了手段によって終了する。その後、第２放送番組の放送開始時刻になると、第２録画開始手段によって第２放送番組の録画が開始される。
【０００７】
好ましくは、前記放送開始時刻よりも前の所定時刻になったとき前記再生場面から前記実時間の放送場面までの時間差を検出し、この検出結果に基づいて前記早送り再生の速度を決定するようにしてもよい。
【０００８】
また、早送り再生手段によって早送り再生が行われるとき、無効手段によって再生操作を無効にするようにしてもよい。
【０００９】
さらに、早送り再生手段によって早送り再生が行なわれるとき、発生手段によって所定の警告を発生するようにしてもよい。
【００１０】
【発明の効果】
この発明によれば、録画予約された第２放送番組の放送開始時刻と現在時刻とを比較し、この比較結果に基づいて第１放送番組を、第２放送番組の放送開始時刻以前に第１放送番組の再生場面が実時間の放送場面に追いつくように、早送り再生するので、再生していた第１放送番組の場面と実際に放送されている第１放送番組の場面との間にブランクを生じさせることなく、テレビ受像機によって引き続き第１放送番組を視聴することができる。
【００１１】
この発明の上述の目的，その他の目的，特徴および利点は、図面を参照して行う以下の実施例の詳細な説明から一層明らかとなろう。
【００１２】
【実施例】
図１を参照して、この実施例のハードディスクビデオレコーダ１０は、アンテナＡＮＴによって捉えられた高周波テレビジョン信号を入力するチューナ１２を含む。チューナ１２は、ＣＰＵ２０から選局命令が与えられたとき、所望のチャネルを選局し、選局したチャネルのベースバンドテレビジョン信号を出力する。記録系１４は、ＣＰＵ２０から録画命令が与えられたとき、チューナ１２から出力されたテレビジョン信号をＭＰＥＧ方式で圧縮し、圧縮されたデータストリームをＦＡＴ（File Allocation Table）方式でハードディスク１６に記録する。再生系１８は、ＣＰＵ２０から再生命令が与えられたとき、ハードディスク１６に記録されたデータストリームを再生し、再生されたデータストリームをＭＰＥＧ方式で伸長する。これによってベースバンドテレビジョン信号が復号され、復号されたベースバンドテレビジョン信号は、テレビジョン受像機３０に出力される。
【００１３】
テレビジョン受像機３０において、ＣＰＵ３８は、リモコン装置４０の操作またはハードディスクビデオレコーダ１０側のＣＰＵ２０からの要求に応答して、チューナ３２およびスイッチＳＷ１を制御する。つまり、リモコン装置４０によって所望のチャネルが選択されるか、ＣＰＵ２０から所望のチャネルの選局要求が与えられると、ＣＰＵ３８は、スイッチＳＷ１をチューナ３２側に設定するとともに、チューナ３２に所望のチャネルの選局を命令する。一方、リモコン装置４０によって“外部入力”が選択されると、ＣＰＵ３８はスイッチＳＷ１をハードディスクビデオレコーダ１０側に設定する。
【００１４】
チューナ３２は、選局命令を受けたとき、アンテナＡＮＴから高周波テレビジョン信号を入力し、所望のチャネルのベースバンドテレビジョン信号を出力する。信号処理回路３４は、チューナ３２またはハードディスクビデオレコーダ１０からスイッチＳＷ１を通して与えられたベースバンドテレビジョン信号に所定の信号処理を施し、処理された映像信号をディスプレイ３６に出力する。この結果、ハードディスクビデオレコーダ１０による再生映像または実時間の放送映像がディスプレイ３６に表示される。
【００１５】
ハードディスクビデオレコーダ１０のＣＰＵ２０は、ｉＴＲＯＮのようなリアルタイムＯＳを搭載し、チューナ１２および記録系１４と再生系１６とを互いに独立したルーチンに従って制御する。具体的には、図３に示すルーチンに従ってチューナ１２および記録系１４を制御し、図４および図５に示すルーチンに従って再生系１８を制御する。
【００１６】
まず、図３を参照して、ステップＳ１ではリアルタイム録画の開始操作が行なわれたかどうかを判断し、ステップＳ５では予約録画操作が行なわれたかどうかを判断する。オペレータが図２に示す操作パネル２２のカーソルキー２２ｈによって所望のチャネルを選択し、録画キー２２ｄを押すと、ステップＳ１からステップＳ３に進み、チューナ１２および記録系１４に所望のチャネルの選局およびリアルタイム録画の開始をそれぞれ命令する。チューナ１２からは所望のチャネルのベースバンドテレビジョン信号が出力され、出力されたベースバンドテレビジョン信号は、記録系１４によってＭＰＥＧ方式でハードディスク１６に記録される。
【００１７】
オペレータが図２に示す予約キー２２を押すと、ステップＳ５でＹＥＳと判断し、ステップＳ７で録画予約処理を行なう。具体的には、ＬＣＤ２２ｊを通して予約設定を案内するともに、カーソルキー２２ｈおよび決定キー２２ｇによって入力された予約録画開始時刻，予約録画終了時刻および予約録画チャネルをメモリ２０ａに格納する。録画予約処理が完了するとステップＳ９に進み、予約録画開始時刻の２０分前をチェック時刻として設定する。チェック時刻については後述する。
【００１８】
ステップＳ３またはステップＳ９の処理を終えると、予約番組が存在するかどうかをステップＳ１１で判断し、現在時刻が予約録画開始時刻であるかどうかをステップＳ１３で判断する。ステップＳ１１およびＳ１３の両方でＹＥＳと判断されるとステップＳ１５に進むが、ステップＳ１１およびＳ１３のいずれか一方でもＮＯと判断されるとステップＳ２５に進む。
【００１９】
ステップＳ１５では、リアルタイム録画の実行中であるかどうか判断する。ここでＮＯであればそのままステップＳ１９に進んで予約録画を開始するが、ＹＥＳであれば、ステップＳ１７でリアルタイム録画を終了してからステップＳ１９で予約録画を開始する。ステップＳ１７の処理によって、記録系１４は現時点で実行している記録処理を終了する。ステップＳ１９の予約録画では、チューナ１２に予約録画チャネルの選局を命令するとともに、記録系１４に録画予約の開始を命令する。チューナ１２からは予約録画チャネルのベースバンドテレビジョン信号が出力され、記録系１４は出力されたベースバンドテレビジョン信号をＭＰＥＧ方式でハードディスク１６に記録する。
【００２０】
ステップＳ２１では現在時刻が予約録画終了時刻に達したかどうかを判断し、ＹＥＳであれば、ステップＳ２３で予約録画の終了を記録系１４に命令する。記録系１４は記録動作を停止し、これによって予約された放送番組のハードディスク１６への録画が完了する。ステップＳ２３の処理を終えると、ステップＳ１に戻る。
【００２１】
ステップＳ２５では、ステップＳ１５と同様、リアルタイム録画の実行中であるかどうか判断し、ＮＯであればそのままステップＳ１に戻る。一方、ＹＥＳであればステップＳ２７に進み、リアルタイム録画の終了操作の有無を判断する。オペレータが図２に示す操作パネルの停止キー２２ｅを押すとこのステップでＹＥＳと判断し、ステップＳ２９で記録系１４にリアルタイム録画の終了を命令する。記録系１４は記録動作を終了し、これによって放送番組の録画が終了する。ステップＳ２９の処理を終えると、ステップＳ１に戻る。
【００２２】
続いて、図４および図５を参照して、再生系１８の制御について説明する。まずステップＳ３１で再生操作が行なわれたかどうかを判断し、ＹＥＳであればステップＳ３３で通常再生を開始する。ステップＳ３１では、図２に示す再生キー２２ａおよびカーソルキー２２ｉによって所望の番組が選択され、かつ決定キー２２ｇが押されたときにＹＥＳと判断される。また、ステップＳ３３では、選択された番組の通常再生を再生系１８に命令する。再生系１８は、選択された番組のストリームデータをＦＡＴを参照してハードディスク１６から検出し、検出したストリームデータを通常速度で再生する。再生されたベーステレビジョン信号はテレビジョン受像機３０に出力される。スイッチＳＷ１がハードディスクレコーダ１０側に設定されていれば、再生されたベースバンドテレビジョン信号に基づく映像がディスプレイ３０に表示される。
【００２３】
ステップＳ３５では停止操作の有無を判断する。オペレータが図２に示す停止キー２２ｅを押すとＹＥＳと判断し、ステップＳ３７で再生停止を再生系１８に命令する。再生系１８はストリームデータの再生を停止し、これによって再生映像の表示が中断される。ステップＳ３７の処理を終えると、ステップＳ３１に戻る。
【００２４】
ステップＳ３５でＮＯであればステップＳ３９に進み、特殊再生操作の有無を判断する。オペレータが早送りキー２２ｂまたは巻き戻しキー２２ｃを操作するとＹＥＳと判断し、続くステップＳ４１で早送り再生または巻き戻し再生を再生系１８に命令する。再生系１８は、再生の態様を通常再生から早送り再生または巻き戻し再生に切り換え、この結果、早送り映像または巻き戻し映像がディスプレイ３６に表示される。ステップＳ４３では、特殊再生の解除操作が行なわれたかどうか判断する。オペレータが再生キー２２ａを操作するとＹＥＳと判断し、ステップＳ４５で通常再生を再生系１８に命令する。再生系１８は、再生の態様を特殊再生から通常再生に戻す。ディスプレイ３６の表示もまた、早送り映像または巻き戻し映像から通常再生映像に戻る。
【００２５】
ステップＳ４５の処理を終えるか、またはステップＳ３９でＮＯと判断されると、ステップＳ４７〜Ｓ５３で上述のリアルタイム録画に関連する判断処理を行なう。ステップＳ４７ではリアルタイム録画が実行中であるかどうかを判断し、ステップＳ４９では再生中の番組が録画中の番組と同じであるかどうかを判断する。また、ステップＳ５１では録画予約があるかどうか判断し、ステップＳ５３では現在時刻がチェック時刻以降であるかどうか判断する。
【００２６】
ステップＳ４７〜Ｓ５３のいずれか１つでもＮＯと判断されると、ステップＳ３５に戻る。これに対して、ステップＳ４７〜Ｓ５３の全てにおいてＹＥＳと判断されるとステップＳ５５に進み、再生中の場面と実際の放送場面との間の時間差を検出する。続くステップＳ５７では、検出された時間差と予約録画開始時刻までの残り時間とに基づいて追いつき再生速度と追いつき再生開始時刻とを決定する。追いつき再生速度は、予約録画開始時刻よりも早い時刻に再生場面が実際の放送場面に追いつく速度とされる。したがって、追いつき再生開始時刻を遅らせるほど、追いつき再生速度は速くなる。
【００２７】
なお、ステップＳ５５およびＳ５７の処理はチェック時刻以降にのみ実行されるため、チェック時刻は、追いつき再生速度および追いつき再生開始時刻を算出する基準時刻と言える。
【００２８】
ステップＳ５９では現在時刻が追いつき再生開始時刻に達したかどうか判断し、ＮＯであればステップＳ３５に戻る。一方、ＹＥＳであれば、ステップＳ６１で追いつき再生を再生系１８に命令するとともに、ステップＳ６３で警告表示のためのＯＳＤ信号を再生系１８に与える。
【００２９】
再生系１８は、ステップＳ５７で決定された追いつき再生速度に従ってストリームデータを早送り再生するとともに、ＣＰＵ２０から与えられたＯＳＤ信号を再生されたベースバンドテレビジョン信号に多重する。ディスプレイ３６には、決定された追いつき再生速度で早送り再生される番組映像と“予約録画開始時刻が迫っていますので、追いつき再生を開始します”との警告メッセージとが表示される。
【００３０】
ステップＳ６５では再生場面が実際の放送場面に追いついたかどうか判断し、ステップＳ７１では通常再生操作の有無を判断する。追いつき再生の途中で再生キー２２ａが操作されるとステップＳ７１からステップＳ７３に進み、追加のＯＳＤ信号を再生系１８に与える。ディスプレイ３６には、“キー操作は無効です”との警告メッセージが追加表示される。再生場面が実際の放送場面に追いつくとステップＳ６５でＹＥＳと判断し、ステップＳ６７で再生停止を再生系１８に命令するとともに、ステップＳ６９でテレビジョン受像機３０のチューナ３２に現時点で選局されているチャネルの選局を命令する。この結果、チューナ３２によって同じチャネルが選局され、リアルタイム録画を行なっていた番組が引き続きディスプレイ３６に表示される。
【００３１】
番組の録画予約が設定されているときの録画済番組の再生動作は、図６に示すとおりである。リアルタイム録画を行なっていない場合は、図４のステップＳ４７でＮＯと判断される。したがって、停止キー２２ｅが操作されたときは図４のステップＳ３７で再生が停止され、早送りキー２２ｂまたは巻き戻しキー２２ｃが押されたときは図４のステップＳ４１で早送り再生または巻き戻し再生が行なわれる。このような再生に関連するキー操作は、予約録画が開始された後の有効とされる。
【００３２】
番組の録画予約が設定されている状態でリアルタイム録画を行ない、かつ録画中の番組を再生するときの動作は、図７に示す通りである。録画予約を行なうと、図３のステップＳ９でチェック時刻が設定される。設定されたチェック時刻は、予約録画開始時刻の２０分前である。現在時刻がチェック時刻よりも前であれば、の放送時刻がチェック時刻よりも前であれば、図５のステップＳ５３でＮＯと判断される。このとき、リアルタイムで録画している番組の再生に関連するキー操作は、いずれも有効とされる。
【００３３】
現在時刻がチェック時刻になると、図５のステップＳ５３でＹＥＳと判断され、ステップＳ５５およびＳ５９の処理によって追いつき再生速度と追いつき再生開始時刻が算出される。ただし、現在時刻が追いつき再生開始時刻よりも前である限り、図５のステップＳ５９でＮＯと判断され、録画中の番組の再生に関連するキー操作は依然として有効とされる。現在時刻が追いつき再生開始時刻になると、ステップＳ５９でＹＥＳと判断され、ステップＳ６１で上述の追いつき再生速度による追いつき再生が開始される。さらに、ステップＳ６３で所定の警告メッセージがＯＳＤ表示される。
【００３４】
追いつき再生によって再生場面が実際の放送場面に追いつくと、ステップＳ６５でＹＥＳと判断され、ステップＳ６７で再生が停止されるとともに、ステップＳ６９でテレビジョン受像機３０側のチューナ３２によって同じ放送チャネルが選局される。ディスプレイ３６には、同じ放送番組が表示される。なお、再生が停止された後も、リアルタイム録画は継続される。
【００３５】
現在時刻が予約録画開始時刻になると、図３のステップＳ１３でＹＥＳと判断される。リアルタイム録画は継続中であるため、ステップＳ１７でもＹＥＳと判断され、ステップＳ１９でリアルタイム録画が終了されてからステップＳ２１で予約録画が開始される。
【００３６】
このように、録画予約が設定されている状態でリアルタイム録画と録画中の番組の再生を並行して行なう場合、予約録画開始時刻と現在時刻とに基づいて再生中の番組を早送り再生するようにしたため、リアルタイム録画を行なっている番組をストーリの流れを崩すことなく再生することができる。
【００３７】
なお、この実施例では、記録媒体としてハードディスクを用いているが、これに代えて光磁気ディスクなどのディスク記録媒体を用いるようにしてもよい。
【図面の簡単な説明】
【図１】この発明の一実施例を示すブロック図である。
【図２】操作パネルの一例を示す図解図である。
【図３】録画時のＣＰＵの動作の一部を示すフロー図である。
【図４】再生時のＣＰＵの動作の一部を示すフロー図である。
【図５】再生時のＣＰＵの動作の他の一部を示すフロー図である。
【図６】図１実施例の動作の一部を示すタイミング図である。
【図７】図１実施例の動作の他の一部を示すタイミング図である。
【符号の説明】
１０…ハードディスクビデオレコーダ
１２，３２…チューナ
１４…記録系
１６…ハードディスク
１８…再生系
２０，３８…ＣＰＵ
【図１】
0003773799.tif 000002
【図２】
0003773799.tif 000003
【図３】
0003773799.tif 000004
【図４】
0003773799.tif 000005
【図５】
0003773799.tif 000006
【図６】
0003773799.tif 000007
【図７】
0003773799.tif 000008